(57)【要約】      （修正有）【課題】目に届く箇所に計画表、投薬表等の紙片をマグネットの磁着可能な化粧版を取り付けていることによって紙片を容易に貼り付けることができる床頭台を提供する。【解決手段】木製板材で構成された引き出、或は開き戸付き棚、或は小型冷蔵庫収納可能な空間棚、及びスライドテーブルを持つ収納部とその上段のテレビなどの載置台３と、又は上部に開き戸付き棚部とからなる木製床頭台１において、床頭台１の両側板７、及び１０００ｍｍ以上の高さにある上部位置になる開き戸６の全部、又は５０％以上の面積部分に、表装材とスチール箔を含む化粧板を使用している。【選択図】図１
0003206777.tif 000002
【実用新案登録請求の範囲】
【請求項１】
木製板材で構成された引き出、或は開き戸付き棚、或は小型冷蔵庫収納可能な空間棚、及びスライドテーブルを持つ収納部とその上段のテレビなどの載置台と、又は上部に開き戸付き棚部とからなる木製床頭台において、
前記床頭台の両側板、及び１０００ｍｍ以上の高さにある上部位置になる開き戸の全部、又は５０％以上の面積部分に、表装材とスチール箔を含む化粧薄板を使用していることを特徴とするマグネットを吸着可能木製用床頭台。
【請求項２】
前記表装材とスチール箔を含む化粧板を使用するマグネット吸着箇所としては、常時に使用する収納部の正面ではなく、収納部を含む側面を含む全側面板、及び目の位置に届く箇所である１０００ｍｍ以上の高さにある上部位置の開き戸の全部、又は５０％以上の面積部分の木製板材に、該マグネット吸着可能な化粧板材を張っていることを特徴とする請求項１記載のマグネットを吸着可能木製用床頭台。
【請求項３】
表装材とスチール箔を含む化粧板は、マグネットを付着できる装飾性表装材であって、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる化粧板になっていることを特徴とする請求項１又は請求項２に記載のマグネットを吸着可能木製用床頭台。
【考案の詳細な説明】
【技術分野】
【０００１】  本考案はマグネットを吸着可能木製用床頭台に関する。詳しくは入院患者ごとに病室内に配置される木製の床頭台に目に届く箇所に計画書、メモなどを掲載できるマグネット磁着機能を持たせた木製用薄板を張った床頭台に係るものである。
【背景技術】
【０００２】  従来、病院における入院患者のベット横には床頭台である収納用家具が配置される。この床頭台は、患者の持ち物を入れる収納部とテレビなどを載置する載置台、開き戸付き棚により構成される。この床頭台での載置台付近にはボードが立設され、病院内での一週間の予定表や投薬表など紙片が貼り付けられることもある。【０００３】  これらの床頭台がスチール製である場合には、病院内での一週間の予定表や投薬表などの計画表などの紙片はマグネットによって磁着することができるが、スチール製では部屋の雰囲気において劣るものがある。病院内での自然感を満喫できる木製床頭台の場合にはテープや押しピンなどによって貼り付けなければならない。【０００４】  そこで木質系の板面などマグネットを吸着できない板面に対して、マグネットを吸着できるようにした考案もあるが、この考案はマグネットを吸着可能な板体と、その片面に貼着された離型紙付きの両面接着テープとでマグネット用取付け座を構成し、離型紙を剥がして両面接着テープによって木質系板面に接着して、マグネットを吸着可能な板体にマグネットを磁着させることで紙片を固定させることができることが提案されている（特許文献１参照）。【０００６】一方床頭台において、木製の板材を組み立てて引き出し、あるいは開き戸からなる収納部と載置台が形成される床頭台において、前記床頭台の外壁面の一部に、マグネットを吸着可能なマグネット吸着板を埋め込み、化粧紙によって覆着することによって紙片をマグネットによって容易に貼り付けることが可能となったものが提案されている（特許文献２参照）。【０００７】活性炭や白金触媒など吸着剤、殺菌剤を用いることなく、スライドボード或いはカウンターを、殺菌・脱臭状態に常温で維持でき、病院においても使用可能な木製床頭台を提供することを目的として、床頭台のスライドボード部全面と、引出部の前板と内表面と、カウンター部表面との５０〜１００％の面積部に酸化チタン系光触媒をコートした脱臭機能及び殺菌機能を有する光触媒機能性木質部材を貼り付けて組み込むことが提案されている（特許文献３参照）。【０００８】病院内の部屋の自然環境をもたらされる木製床頭台において、病院内での一週間の予定表や投薬表などの計画表などの紙片を常時安定的に貼っていることのできる木製床頭台については存在していない。
【先行技術文献】
【特許文献】
【０００５】
【特許文献１】特開２００２−２７４０８９号公報
【特許文献２】特開２００７−１５９６１１号公報
【特許文献３】実用新案登録第３１９１３４７号公報
【考案の概要】
【概要が解決しようとする課題】
【０００６】  近年、病院内では患者重視の観点からベット数を少なくしてゆとりのある入院生活ができるように快適な病室に改造する病院が増えてきている。また、高級感やあたたかいイメージ、自然的雰囲気を演出するために木製床頭台を使用するところが多くなってきており、予定表や投薬表などの計画表などの紙片を押しピンやテープによって貼っているのが現状であるが、押しピンではボードが穴だらけとなり、交換、書き込みなどが困難であった。またテープでは床頭台の板面に張られた化粧紙が破れたりするなどの問題があった。
【０００７】  また、前記マグネット用取付け座を壁面に取り付ける場合には、紙片を貼り付けているときは外観上損傷をもたらし、また機能的に支障をきたすことはないが、紙片を取り外した場合にはマグネット用取付け座が露出した状態となり、見た目が悪くなるなどの問題がある。さらに、マグネット用取付け座を剥ぎ取る場合には、壁面に張られた化粧紙が破れたりするなどの問題がある。
【０００８】  本考案は、以上の点に鑑みて創案されたものであって、木製表装材とスチール箔を含む化粧板を床頭台の重要箇所の部分的に取り付けることによって紙片を容易に貼り付けることができるマグネット吸着できる木製床頭台を提供することを目的とするものである。
【課題を解決するための手段】
【０００９】  上記の目的を達成するために、木製板材で構成された引き出、或は開き戸付き棚、或は小型冷蔵庫収納可能な空間棚、及びスライドテーブルを持つ収納部とその上段のテレビなどの載置台と、又は上部に開き戸付き棚部とからなる木製床頭台において、前記床頭台の両側板、及び１０００ｍｍ以上の高さにある上部位置になる開き戸の全部、又は５０％以上の面積部分に、表装材とスチール箔を含む化粧板を使用しているマグネットを吸着可能木製用床頭台である。
【００１２】前記表装材とスチール箔を含む化粧板を使用するマグネット吸着箇所としては、常時に使用する収納部の正面ではなく、収納部を含む側面を含む全側面板、及ぶ目の位置に届く箇所である１０００ｍｍ以上の高さにある上部位置の開き戸の全部、又は５０％以上の面積部分の木製板材に、該マグネット吸着可能な化粧板を張っている。
【００１３】表装材とスチール箔を含む化粧板は、マグネットを付着できる装飾性表装材であって、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に２５〜２００μｍの厚さのスチール箔を含んでいる化粧板になっている。
【００１４】本考案に係る木製用床頭台は、木製板材で構成された引き出部、或は開き戸付き棚部、或は小型冷蔵庫収納空間部、及びスライドテーブルからなる収納部と載置台、又は上部に開き戸付き棚からなる木製床頭台において、前記木製床頭台の外側面の一部に、マグネットを吸着可能なマグネット装飾化粧板を取り付ける構成とする。また、マグネット吸着できる化粧板材を取り付けて、化粧紙によって覆着することにより、美観を損なうことがなく、紙片を貼り付けることが可能となる。
【考案の効果】
【００１２】  本考案の木製用床頭台によれば、側面、及び上部の開き戸にマグネットが磁着する化粧紙によって覆うことによって外観上を損なうことなく、常時目に届く位置にマグネットによる紙片の貼り付けが容易に行うことができる。
【００１３】  また、押しピンやテープなどによって予定表や投薬表などの計画表などの紙片を側面に貼り合わせることがないために、木製床頭台の外観の壁面を傷つけることがなく、使用し続けることが可能となる。
【図面の簡単な説明】
【００３１】
【図１】マグネット吸着可能木製用床頭台を示す斜視図である。Ａ：二段棚付床頭台  Ｂ：上部収納部付床頭台
【図２】木製用床頭台における側面、開き戸にマグネット吸着化粧板使用した図である。（二段棚付床頭台の場合）
【図３】マグネット吸着可能木製用床頭台でメモ、計画書を使用した図である。（上部収納部付床頭台の場合）
【考案を実施するための形態】
【００１４】  以下、本考案の実施の形態で図面を参酌しながら説明し、本考案の理解に供する。図１は、本考案を適用した木製用床頭台の一実施例を示す斜視図、図２は、図１における要部平面説明図である。
【実施例１】
【００１５】床頭台は、収納部と、この収納部の上部に設けられる載置台とから構成されるものである。そこで前記収納部の下部にはキャスターが取り付けられて自在に移動可能とされる。そして前記収納部は、各種の引き出し部および開き戸が設けられ、入院患者が持ち物などを収納するスペースが確保されている。次に前記載置台は、テレビや食器などを載置するスペースが確保されている。そして載置台に載せられた。側面に１週間の予定表や薬の投薬量などが記載された紙片が貼り付けられるスペースが確保された。【００１８】  前記表装材とスチール箔を含む化粧板を使用するマグネット吸着箇所としては、常時に使用する収納部の正面ではなく、収納部の側面、及ぶ目の位置に届く箇所である１０００ｍｍ以上の高さにある上部の開き戸の全部、又は５０％以上の面積部分、板を木製の板材に、該マグネット吸着可能な化粧板を張った。【００１９】表装材とスチール箔を含む化粧板は、マグネットを付着できる装飾性表装材であって、表装材の表面には、０・１ｍｍの生地色から濃厚色、又は自然素材の木質の質感をもつ模様を施した紙体、又は突板、又は布体、又は樹脂フイルムを貼って、磁気吸着力を持つ表面体内に５０μｍの厚さのスチール箔を含んでいる化粧板であった。【００２０】  木製板材で構成された引き出部、或は開き戸付き棚部、或は小型冷蔵庫収納空間部、及びスライドテーブルからなる収納部と載置台、又は上部に開き戸付き棚からなる木製床頭台において、前記床頭台の両側板、及び１０００ｍｍ以上の高さにある上部の開き戸の全部、又は５０％以上の面積部分に、表装材とスチール箔を含む化粧板を使用された。これにより床頭台の側面にマグネットを使用して計画表を取り付けることができた。
【実施例２】
【００１５】床頭台は、収納部と、この収納部の上部に設けられる載置台とから構成されるものである。そこで前記収納部の下部にはキャスターが取り付けられて自在に移動可能とされる。そして前記収納部は、各種の引き出し部および開き戸が設けられ、入院患者が持ち物などを収納するスペースが確保されている。次に前記載置台は、テレビや食器などを載置するスペースが確保されている。そして載置台に載せられた。側面に１週間の予定表や薬の投薬量などが記載された紙片が貼り付けられるスペースが確保された。【００１８】  前記表装材とスチール箔を含む化粧板を使用するマグネット吸着箇所としては、常時に使用する収納部の正面ではなく、収納部の側面、及ぶ目の位置に届く箇所である１０００ｍｍ以上の高さにある上部の開き戸の全部、又は５０％以上の面積部分、板を木製の板材に、該マグネット吸着可能な化粧板を張った。【００１９】表装材とスチール箔を含む化粧板は、マグネットを付着できる装飾性表装材であって、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に２５〜２００μｍの厚さのスチール箔を含んでいる化粧板であった。【００２０】  木製板材で構成された引き出部、或は開き戸付き棚部、或は小型冷蔵庫収納空間部、及びスライドテーブルからなる収納部と載置台、又は上部に開き戸付き棚からなる木製床頭台において、前記床頭台の両側板、及び１０００ｍｍ以上の高さにある上部の開き戸の全部、又は５０％以上の面積部分に、表装材とスチール箔を含む化粧板を使用された。
【実施例３】
【００１５】床頭台は、収納部と、この収納部の上部に設けられる載置台とから構成されるものである。そこで前記収納部の下部にはキャスターが取り付けられて自在に移動可能とされる。そして前記収納部は、各種の引き出し部および開き戸が設けられ、入院患者が持ち物などを収納するスペースが確保されている。次に前記載置台は、テレビや食器などを載置するスペースが確保されている。そして載置台に載せられた。側面に１週間の予定表や薬の投薬量などが記載された紙片が貼り付けられるスペースが確保された。【００１８】  前記表装材とスチール箔を含む化粧板を使用するマグネット吸着箇所としては、常時に使用する収納部の正面ではなく、収納部の側面、及ぶ目の位置に届く箇所である１０００ｍｍ以上の高さにある上部の開き戸の全部、又は５０％以上の面積部分、板を木製の板材に、該マグネット吸着可能な化粧板を張った。【００１９】表装材とスチール箔を含む化粧板は、マグネットを付着できる装飾性表装材であって、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に２５〜２００μｍの厚さのスチール箔を含んでいる化粧板あった。【００２０】  木製板材で構成された引き出部、或は開き戸付き棚部、或は小型冷蔵庫収納空間部、及びスライドテーブルからなる収納部と載置台、又は上部に開き戸付き棚からなる木製床頭台において、前記床頭台の両側板、及び１０００ｍｍ以上の高さにある上部の開き戸の全部、又は５０％以上の面積部分に、表装材とスチール箔を含む化粧板を使用された。
【符号の説明】
【００３２】１      床頭台
２      収納部
３      載置台
４      キャスター
５      引き出し部
６      開き戸
７      側板
８      化粧紙
９      木板
１０    マグネット吸着板
１１    天板
１２    下部収納部
１３    上部収納部
１４    スライド式テーブル
１５    後部収納部
１６    両扉部
１７    写真
１８    メモ帖  計画表
【図１】
0003206777.tif 000003
【図２】
0003206777.tif 000004
【図３】
0003206777.tif 000005